(57)【要約】【課題】簡易決済方法およびシステムを提供する。【解決手段】簡易決済方法は、ホームショッピング放送と関連するホームショッピングサーバからユーザのホームショッピング注文のための決済要請を受信する段階、前記決済要請に含まれたユーザ情報を利用して前記ユーザに対する認証処理を実行する段階、および、前記ユーザに対する認証が成功した場合、前記ユーザ情報に基づいて前記決済要請に対応する決済処理を実行する段階、を含む。【選択図】図３
2017228292.tif 000002
【特許請求の範囲】
【請求項１】
コンピュータによって実現される簡易決済システムが実行する簡易決済方法であって、
ホームショッピング放送と関連するホームショッピングサーバからユーザのホームショッピング注文のための決済要請を受信し、
前記決済要請に含まれたユーザ情報を利用して前記ユーザに対する認証処理を実行し、
前記ユーザに対する認証が成功した場合、前記ユーザ情報に基づいて前記決済要請に対応する決済処理を実行すること、
を含む、簡易決済方法。
【請求項２】
前記ホームショッピングサーバが、前記ホームショッピング放送に対して注文を要請した前記ユーザの電話番号を含む前記決済要請を前記簡易決済システムに送信する、請求項１に記載の簡易決済方法。
【請求項３】
前記ホームショッピングサーバが、前記ホームショッピング放送に対して電話接続による注文時に、電話接続された発信者の電話番号を含む前記決済要請を前記簡易決済システムに送信する、請求項１に記載の簡易決済方法。
【請求項４】
前記ホームショッピングサーバが、前記ホームショッピング放送に対して前記ホームショッピング放送の視聴に利用された端末による注文時に、前記端末から入力を受けた電話番号を含む前記決済要請を前記簡易決済システムに送信する、請求項１に記載の簡易決済方法。
【請求項５】
前記ホームショッピングサーバが、前記ホームショッピング放送に対して注文を要請した前記ユーザの電話番号を含む前記決済要請を前記簡易決済システムに送信し、
前記決済処理を実行することは、
前記電話番号に該当する端末に、前記決済要請に対応する決済画面に対するリンク情報である決済ＵＲＬを送信し、
前記決済画面で入力された決済情報を利用して前記決済要請に対応する決済処理を実行すること、
を含む、請求項１に記載の簡易決済方法。
【請求項６】
前記決済処理を実行することは、
前記決済ＵＲＬに対応する情報から特定のホームショッピングを認識し、前記認識されたホームショッピングにしたがって決済手段と特典情報のうちの少なくとも１つを勧めること、
をさらに含む、請求項５に記載の簡易決済方法。
【請求項７】
前記簡易決済方法は、
前記ホームショッピング注文に利用する決済情報を事前登録して前記ユーザ情報とマッチングすること、
をさらに含む、請求項１に記載の簡易決済方法。
【請求項８】
前記マッチングすることは、
複数のホームショッピングに対して共通で利用する決済情報を登録すること、およびホームショッピングそれぞれに対して決済情報を区分して登録することの少なくとも一方を含む、請求項７に記載の簡易決済方法。
【請求項９】
前記決済処理を実行することは、
前記ユーザがホームショッピング自動決済に同意したユーザであるか否かを確認し、
前記ユーザがホームショッピング自動決済に同意したユーザである場合、前記ユーザ情報とマッチングされた決済情報を利用して前記決済要請に対応する決済処理を実行すること、
を含む、請求項１に記載の簡易決済方法。
【請求項１０】
前記決済処理を実行することは、
前記ユーザがホームショッピング自動決済に同意したユーザであるか否かを確認し、
前記ユーザがホームショッピング自動決済に同意したユーザである場合、前記ユーザ情報とマッチングされた決済情報を確認し、
前記決済情報が複数の決済手段を含む場合、前記ホームショッピングサーバに前記複数の決済手段に関する情報を送信し、
前記複数の決済手段のうち、前記ユーザから選択された決済手段を利用して前記決済要請に対応する決済処理を実行すること、
を含み、
前記ホームショッピングサーバが、前記ユーザのホームショッピング注文経路を通じて前記複数の決済手段に関する情報を提供する、請求項１に記載の簡易決済方法。
【請求項１１】
請求項１ないし請求項１０のいずれかに記載の簡易決済方法をコンピュータに実行させるためのプログラム。
【請求項１２】
コンピュータによって実現される簡易決済システムであって、
ホームショッピング放送と関連するホームショッピングサーバからユーザのホームショッピング注文のための決済要請を受信する場合、前記決済要請に含まれたユーザ情報を利用して前記ユーザに対する認証処理を実行する認証処理部と、
前記ユーザに対する認証が成功した場合、前記ユーザ情報に基づいて前記決済要請に対応する決済処理を実行する決済処理部と、
を含む、簡易決済システム。
【請求項１３】
前記ホームショッピングサーバが、前記ホームショッピング放送に対して電話接続による注文時に、電話接続された発信者の電話番号を含む前記決済要請を前記簡易決済システムに送信する、請求項１２に記載の簡易決済システム。
【請求項１４】
前記ホームショッピングサーバが、前記ホームショッピング放送に対して前記ホームショッピング放送の視聴に利用された端末による注文時に、前記端末から入力を受けた電話番号を含む前記決済要請を前記簡易決済システムに送信する、請求項１２に記載の簡易決済システム。
【請求項１５】
前記ホームショッピングサーバが、前記ホームショッピング放送に対して注文を要請した前記ユーザの電話番号を含む前記決済要請を前記簡易決済システムに送信し、
前記決済処理部は、
前記電話番号に該当する端末に、前記決済要請に対応する決済画面に対するリンク情報である決済ＵＲＬを送信し、
前記決済画面で入力された決済情報を利用して前記決済要請に対応する決済処理を実行する、請求項１２に記載の簡易決済システム。
【請求項１６】
前記決済処理部は、
前記決済ＵＲＬに対応する情報から特定のホームショッピングを認識し、前記認識されたホームショッピングにしたがって決済手段と特典情報のうちの少なくとも１つを勧める、請求項１５に記載の簡易決済システム。
【請求項１７】
前記簡易決済システムは、
前記ホームショッピング注文に利用する決済情報を事前登録して前記ユーザ情報とマッチングする情報管理部と、
をさらに含む、請求項１２に記載の簡易決済システム。
【請求項１８】
前記情報管理部は、
複数のホームショッピングに対して共通で利用する決済情報を登録すること、およびホームショッピングそれぞれに対して決済情報を区分して登録することの少なくとも一方を含む、請求項１７に記載の簡易決済システム。
【請求項１９】
前記決済処理部は、
前記ユーザがホームショッピング自動決済に同意したユーザであるか否かを確認し、
前記ユーザがホームショッピング自動決済に同意したユーザである場合、前記ユーザ情報とマッチングされた決済情報を利用して前記決済要請に対応する決済処理を実行する、請求項１２に記載の簡易決済システム。
【請求項２０】
前記決済処理部は、
前記ユーザがホームショッピング自動決済に同意したユーザであるか否かを確認し、
前記ユーザがホームショッピング自動決済に同意したユーザである場合、前記ユーザ情報とマッチングされた決済情報を確認し、
前記決済情報が複数の決済手段を含む場合、前記ホームショッピングサーバに前記複数の決済手段に関する情報を送信し、
前記複数の決済手段のうち、前記ユーザから選択された決済手段を利用して前記決済要請に対応する決済処理を実行し、
前記ホームショッピングサーバが、前記ユーザのホームショッピング注文経路を通じて前記複数の決済手段に関する情報を提供する、請求項１２に記載の簡易決済システム。
【発明の詳細な説明】
【技術分野】
【０００１】
以下の説明は、ホームショッピング決済技術に関する。
【背景技術】
【０００２】
ホームショッピングの決済方式は、主にＡＲＳ（ａｕｔｏｍａｔｉｃ  ｒｅｓｐｏｎｓｅ  ｓｅｒｖｉｃｅ、自動応答サービス）を利用しており、多くの場合は、生放送中のＴＶを見ながらＡＲＳを利用して注文する。
【０００３】
ＡＲＳを利用した決済技術の一例として、特許文献１（公開日２００５年０１月１２日）には、電子商取引過程でＡＲＳを利用してカード決済を処理する技術が開示されている。
【０００４】
ＡＲＳによる注文方式の場合、音声案内を聞く時間、オペレータに繋がるまでの待ち時間、決済情報を含んだ個人情報を入力する時間など、注文が完了するまでに多くの時間が必要となり、この間に商品が売り切れてしまったり、放送が終わってしまうなどの問題が発生することもある。さらに、決済情報を毎回入力しなければならないことから大きな面倒と不便を伴う上に、決済情報を含んだ個人情報がホームショッピング会社に提供されることから、個人情報流出の問題も発生する。
【先行技術文献】
【特許文献】
【０００５】
【特許文献１】韓国公開特許第１０−２００５−０００３８８５号公報
【発明の概要】
【発明が解決しようとする課題】
【０００６】
本発明は、ホームショッピングの注文時の決済過程にかかる時間を短縮することができる方法およびシステムを提供することを目的の一つとする。
【０００７】
また、本発明は、簡易な決済プロセスによってユーザの面倒と不便を改善することができる方法およびシステムを提供することを目的の一つとする。
【０００８】
さらに、本発明は、安全なセキュリティを有するホームショッピング決済方式を提供することができる方法およびシステムを提供することを目的の一つとする。
【課題を解決するための手段】
【０００９】
本発明の一実施形態によれば、コンピュータによって実現される簡易決済システムで実行される簡易決済方法であって、ホームショッピング放送と関連するホームショッピングサーバからユーザのホームショッピング注文のための決済要請を受信し、決済要請に含まれたユーザ情報を利用してユーザに対する認証処理を実行し、ユーザに対する認証が成功した場合、ユーザ情報に基づいて決済要請に対応する決済処理を実行すること、を含む、簡易決済方法を提供する。
【００１０】
ホームショッピングサーバが、ホームショッピング放送に対して注文を要請したユーザの電話番号を含む決済要請を簡易決済システムに送信してもよい。
【００１１】
ホームショッピングサーバが、ホームショッピング放送に対して電話接続による注文時に、電話接続された発信者の電話番号を含む決済要請を簡易決済システムに送信してもよい。
【００１２】
ホームショッピングサーバが、ホームショッピング放送に対してホームショッピング放送の視聴に利用された端末からの注文時に、端末から入力を受けた電話番号を含む決済要請を簡易決済システムに送信してもよい。
【００１３】
ホームショッピングサーバが、ホームショッピング放送に対して注文を要請したユーザの電話番号を含む決済要請を簡易決済システムに送信し、決済処理を実行することは、電話番号に該当する端末に、決済要請に対応する決済画面に対するリンク情報である決済ＵＲＬを送信し、決済画面で入力された決済情報を利用して決済要請に対応する決済処理を実行すること、を含んでもよい。
【００１４】
決済処理を実行することは、決済ＵＲＬに対応する情報から特定のホームショッピングを認識し、認識されたホームショッピングにしたがって決済手段と特典情報のうちの少なくとも１つを勧めること、をさらに含んでもよい。
【００１５】
簡易決済方法は、ホームショッピング注文に利用する決済情報を事前登録してユーザ情報とマッチングすること、をさらに含んでもよい。
【００１６】
マッチングすることは、複数のホームショッピングに対して共通で利用する決済情報を登録すること、およびホームショッピングそれぞれに対して決済情報を区分して登録することの少なくとも一方を含んでもよい。
【００１７】
決済処理を実行することは、ユーザがホームショッピング自動決済に同意したユーザであるか否かを確認し、ユーザがホームショッピング自動決済に同意したユーザである場合、ユーザ情報とマッチングされた決済情報を利用して決済要請に対応する決済処理を実行すること、を含んでもよい。
【００１８】
決済処理を実行することは、ユーザがホームショッピング自動決済に同意したユーザであるか否かを確認し、ユーザがホームショッピング自動決済に同意したユーザである場合、ユーザ情報とマッチングされた決済情報を確認し、決済情報が複数の決済手段を含む場合、ホームショッピングサーバに複数の決済手段に関する情報を送信し、複数の決済手段のうち、ユーザから選択された決済手段を利用して決済要請に対応する決済処理を実行すること、を含み、ホームショッピングサーバが、ユーザのホームショッピング注文経路を通じて複数の決済手段に関する情報を提供してもよい。
【００１９】
本発明の一実施形態によれば、上記のいずれかに記載の簡易決済方法をコンピュータに実行させるためのプログラムを提供する。
【００２０】
本発明の一実施形態によれば、コンピュータによって実現される簡易決済システムであって、ホームショッピング放送と関連するホームショッピングサーバからユーザのホームショッピング注文のための決済要請を受信する場合、決済要請に含まれたユーザ情報を利用してユーザに対する認証処理を実行する認証処理部と、ユーザに対する認証が成功した場合、ユーザ情報に基づいて決済要請に対応する決済処理を実行する決済処理部と、を含む、簡易決済システムを提供する。
【００２１】
ホームショッピングサーバが、ホームショッピング放送に対して電話接続による注文時に、電話接続された発信者の電話番号を含む決済要請を簡易決済システムに送信してもよい。
【００２２】
ホームショッピングサーバが、ホームショッピング放送に対してホームショッピング放送の視聴に利用された端末による注文時に、端末から入力を受けた電話番号を含む決済要請を簡易決済システムに送信してもよい。
【００２３】
ホームショッピングサーバが、ホームショッピング放送に対して注文を要請したユーザの電話番号を含む決済要請を簡易決済システムに送信し、決済処理部は、電話番号に該当する端末に、決済要請に対応する決済画面に対するリンク情報である決済ＵＲＬを送信し、決済画面で入力された決済情報を利用して決済要請に対応する決済処理を実行してもよい。
【００２４】
決済処理部は、決済ＵＲＬに対応する情報から特定のホームショッピングを認識し、認識されたホームショッピングにしたがって決済手段と特典情報のうちの少なくとも１つを勧めてもよい。
【００２５】
簡易決済システムは、ホームショッピング注文に利用する決済情報を事前登録してユーザ情報とマッチングする情報管理部と、をさらに含んでもよい。
【００２６】
情報管理部は、複数のホームショッピングに対して共通で利用する決済情報を登録すること、およびホームショッピングそれぞれに対して決済情報を区分して登録することの少なくとも一方を含んでもよい。
【００２７】
決済処理部は、ユーザがホームショッピング自動決済に同意したユーザであるか否かを確認し、ユーザがホームショッピング自動決済に同意したユーザである場合、ユーザ情報とマッチングされた決済情報を利用して決済要請に対応する決済処理を実行してもよい。
【００２８】
決済処理部は、ユーザがホームショッピング自動決済に同意したユーザであるか否かを確認し、ユーザがホームショッピング自動決済に同意したユーザである場合、ユーザ情報とマッチングされた決済情報を確認し、決済情報が複数の決済手段を含む場合、ホームショッピングサーバに複数の決済手段に関する情報を送信し、複数の決済手段のうち、ユーザから選択された決済手段を利用して決済要請に対応する決済処理を実行し、ホームショッピングサーバが、ユーザのホームショッピング注文経路を通じて複数の決済手段に関する情報を提供してもよい。
【発明の効果】
【００２９】
本発明の実施形態によると、注文のたびに決済情報を読み込んだり入力したりする必要のない簡易な決済により、ユーザの手間を軽減させ、決済時間を画期的に短縮させることができる。
【００３０】
本発明の実施形態によると、決済情報を事前登録した後には、簡易な認証だけでホームショッピング決済を即時に行うようにすることで、情報流出の問題がなく、ユーザが簡易に決済を行える環境を提供することができる。
【００３１】
本発明の実施形態によると、ホームショッピング会社や決済処理機関でユーザの決済情報を保管せず、特に仮想カード番号を利用することにより、安全なセキュリティを有する決済情報を提供することができる。
【００３２】
本発明の実施形態によると、決済の便宜と安全なセキュリティを保障しながらホームショッピングに最適化した簡易決済方法を提供することにより、ホームショッピング会社に対するブランド価値も高めることができる。
【図面の簡単な説明】
【００３３】
【図１】本発明の一実施形態における、ホームショッピング簡易決済の概略構成を説明するための図である。
【図２】本発明の一実施形態における、簡易決済システムの内部構成を説明するためのブロック図である。
【図３】本発明の一実施形態における、簡易決済方法を示したフローチャートである。
【図４】本発明の一実施形態における、ホームショッピング決済過程の一例を示したフローチャートである。
【図５】本発明の一実施形態における、ホームショッピング決済過程の一例を示したフローチャートである。
【図６】本発明の一実施形態における、ホームショッピング自動決済を設定するための設定画面の一例を示した図である。
【図７】本発明の一実施形態における、ホームショッピング自動決済過程の一例を示したフローチャートである。
【図８】本発明の一実施形態における、ホームショッピング自動決済過程の一例を示したフローチャートである。
【発明を実施するための形態】
【００３４】
以下、本発明の実施形態について、添付の図面を参照しながら詳細に説明する。
【００３５】
本発明の一実施形態は、ホームショッピング決済技術に関し、より詳細には、決済の便宜と安全なセキュリティを保障しながら、ホームショッピングに最適化した簡易決済プロセスを提供する方法とシステムに関する。
【００３６】
図１は、本発明の一実施形態における、ホームショッピング簡易決済の概略構成を説明するための図である。図１は、ユーザ１０１、ホームショッピングサーバ１０３、および簡易決済システム１００を示している。ここで、ユーザ１０１は、実質的にはユーザが利用する端末を意味してもよい。図１の矢印は、図１に示された構成要素間で有線／無線ネットワークを利用してデータが送受信されることを意味するものである。
【００３７】
ユーザ１０１が利用する端末は、本明細書で説明される特徴のうちの１つ以上の特徴を実行するように構成された１つ以上のプロセスを実行してもよい。ユーザ１０１が利用する端末は、簡易決済システム１００と関連する専用アプリケーションのインストールおよび実行が可能なすべての端末装置を意味してもよい。ここで、ユーザ１０１が利用する端末は、専用アプリケーションの制御の下で、サービス画面の構成、データ入力、データ送受信、データ格納などのようなサービス全般の動作を実行してもよい。
【００３８】
ユーザ１０１は、ホームショッピングを視聴する主体であって、ホームショッピング放送を見て商品を注文する対象に該当する。ユーザ１０１は、ホームショッピングの視聴中に商品注文のために専用アプリケーションを通じて決済を行うようになるが、このとき、決済に利用する端末は、ホームショッピングを視聴する端末と同一の単一端末であってもよいし、別の端末であってもよい。
【００３９】
ユーザ１０１がホームショッピングを視聴する端末の代表的な例はＴＶであってもよく、ＴＶは、一般的な電波受信機、インターネットＴＶ、ＤＭＢ（Ｄｉｇｉｔａｌ  Ｍｕｌｔｉｍｅｄｉａ  Ｂｒｏａｄｃａｓｔｉｎｇ）などであって、ホームショッピングのプログラムをリアルタイムで放送する媒介の役割をする放送媒体を意味してもよい。また、ホームショッピング決済のために利用する端末は、インターネットＴＶはもちろん、スマートフォン（ｓｍａｒｔ  ｐｈｏｎｅ）、タブレット（ｔａｂｌｅｔ）、ウェアラブルコンピュータ（ｗｅａｒａｂｌｅ  ｃｏｍｐｕｔｅｒ）、ＰＣ（ｐｅｒｓｏｎａｌ  ｃｏｍｐｕｔｅｒ）、ノート型パソコン（ｌａｐｔｏｐ  ｃｏｍｐｕｔｅｒ）などであって、専用アプリケーションのインストールおよび実行が可能なすべての端末装置を意味してもよい。
【００４０】
例えば、インターネットＴＶやスマートフォンの場合、ホームショッピングの視聴から決済までを行える環境を提供することができる反面、電波を受信する一般的なＴＶは、専用アプリケーションのインストールおよび実行が不可能であるため、ユーザ１０１がＴＶで視聴したホームショッピング商品を注文しようとする場合には、専用アプリケーションがインストールされた別の端末を利用するようになる。
【００４１】
ユーザ１０１が利用する端末は、ネットワーク（例えば、インターネットあるいはローカルエリアネットワークなど）に直接的あるいは間接的に接続されてもよい。例えば、パーソナルコンピュータとノート型パンコンは、有線ネットワーク接続によってネットワークに直接的に接続されてもよい。ラップトップコンピュータは、ラップトップコンピュータと無線アクセスポイント（Ｗｉｒｅｌｅｓｓ  Ａｃｃｅｓｓ  Ｐｏｉｎｔ：ＷＡＰ）との間に確立された無線通信チャネルを介してネットワークに無線で接続されてもよい。スマートフォンは、スマートフォンとセルラネットワーク／ブリッジとの間に確立された無線通信チャンネルを介してネットワークに無線に接続されてもよい。ここで、ネットワークは、１つ以上の２次ネットワーク（図示せず）と通信してもよく、２次ネットワークの例としては、ローカルエリアネットワーク（Ｌｏｃａｌ  Ａｒｅａ  Ｎｅｔｗｏｒｋ）、ワイドエリアネットワーク（Ｗｉｄｅ  Ａｒｅａ  Ｎｅｔｗｏｒｋ）、またはイントラネット（ｉｎｔｒａｎｅｔ）を含んでもよいが、これらに限定されるものではない。
【００４２】
ユーザ１０１が利用する端末は、上述したネットワークを介してホームショッピングサーバ１０３および／または簡易決済システム１００と互いに接続してもよい。
【００４３】
ホームショッピングサーバ１０３は、クライアント（ｃｌｉｅｎｔ）であるユーザ１０１を対象としてホームショッピングプログラムを提供するプラットフォームの役割をするが、放送プログラムを提供するＣＰ（ｃｏｎｔｅｎｔｓ  ｐｒｏｖｉｄｅｒ）やホームショッピング注文システムなどが含まれてもよい。特に、ホームショッピングサーバ１０３は、商品注文のためのＡＲＳを提供してもよく、簡易決済システム１００と連動して簡易決済プロセスを実現してもよい。
【００４４】
簡易決済システム１００は、本明細書で説明される特徴のうちの１つ以上の特徴を実行するように構成された１つ以上のプロセスを実行してもよい。簡易決済システム１００は、ホームショッピングサーバ１０３と連動し、ホームショッピングサーバ１０３の要請にしたがって決済を処理する決済処理機関の役割を行うものである。特に、簡易決済システム１００は、ホームショッピング注文過程において不必要な過程を排除しながらも、安全なセキュリティを有する簡易決済環境を提供することができる。
【００４５】
簡易決済システム１００は、サーバコンピュータに該当するものであって、サーバコンピュータの例としては、サーバコンピューティングデバイス、パーソナルコンピュータ、サーバコンピュータ、一連のサーバコンピュータ、ミニコンピュータ、および／またはメインフレームコンピュータを含んでもよいが、これらに限定されるものではない。サーバコンピュータは、分散型システムであってもよく、さらにサーバコンピュータの動作は、１つ以上のプロセッサ上で同時に実行されてもよいし、順に実行されてもよい。
【００４６】
上述した簡易決済システム１００は、少なくとも一部の構成要素が、ユーザ１０１が利用する端末上にインストールされるアプリケーションの形態で実現されてもよいが、これに限定されるものではなく、クライアント−サーバ環境で簡易決済サービスを提供するプラットフォームに含まれる形態で実現されてもよい。
【００４７】
図２は、本発明の一実施形態における、簡易決済システムの内部構成を説明するためのブロック図であり、図３は、本発明の一実施形態における、簡易決済方法を示したフローチャートである。
【００４８】
本実施形態に係る簡易決済システム１００は、プロセッサ２１０、バス２２０、ネットワークインタフェース２３０、メモリ２４０、およびデータベース２５０を含んでもよい。メモリ２４０は、オペレーティングシステム２４１および簡易決済ルーチン２４２を含んでもよい。他の実施形態において、簡易決済システム１００は、図２の構成要素よりもさらに多くの構成要素を含んでもよい。
【００４９】
メモリ２４０は、コンピュータで読み取り可能な記録媒体であって、ＲＡＭ（ｒａｎｄｏｍ  ａｃｃｅｓｓ  ｍｅｍｏｒｙ）、ＲＯＭ（ｒｅａｄ  ｏｎｌｙ  ｍｅｍｏｒｙ）、およびディスクドライブのような永久大容量記録装置（ｐｅｒｍａｎｅｎｔ  ｍａｓｓ  ｓｔｏｒａｇｅ  ｄｅｖｉｃｅ）を含んでもよい。また、メモリ２４０には、オペレーティングシステム２４１と決済処理ルーチン２４２のためのプログラムコードが格納されてもよい。このようなソフトウェア構成要素は、メモリ２４０とは別のコンピュータで読み取り可能な記録媒体からロードされてもよい。このような別のコンピュータで読み取り可能な記録媒体は、フロッピドライブ（登録商標）、ディスク、テープ、ＤＶＤ／ＣＤ−ＲＯＭドライブ、メモリカードなどのコンピュータで読み取り可能な記録媒体（図示せず）を含んでもよい。他の実施形態において、ソフトウェア構成要素は、コンピュータで読み取り可能な記録媒体ではないネットワークインタフェース２３０を利用してメモリ２４０にロードされてもよい。
【００５０】
バス２２０は、簡易決済システム１００の構成要素間の通信およびデータ送信を可能にする。バス２２０は、高速シリアルバス、パラレルバス、ＳＡＮ（Ｓｔｏｒａｇｅ  Ａｒｅａ  Ｎｅｔｗｏｒｋ）、および／または他の適切な通信技術を利用して構成されてもよい。
【００５１】
ネットワークインタフェース２３０は、簡易決済システム１００をコンピュータネットワークに接続するためのコンピュータハードウェア構成要素であってもよい。ネットワークインタフェース２３０は、コミュニケーションシステム１００を無線または有線接続を介してコンピュータネットワークに接続させてもよい。
【００５２】
データベース２５０は、簡易決済のために必要な情報を格納および維持する役割を担うものである。ここで、データベース２５０は、ユーザそれぞれに対し、ユーザの識別情報（例えば、携帯電話番号やＩＤなど）またはユーザの識別情報とマッチングされた識別キーを格納してもよい。また、データベース２５０は、ユーザそれぞれに対し、ホームショッピングの注文時に利用する決済手段に関する情報を、当該ユーザの識別情報または識別キーと関連付けて格納してもよい。決済手段に関する情報は、別途、事前登録によってユーザから入力されてもよいし、ユーザの過去の決済履歴などから抽出されてもよい。図２では、簡易決済システム１００の内部にデータベース２５０を含むものとして示されているが、別の他のシステム上に構築された外部データベースとして存在してもよい。例えば、簡易決済システム１００と連動可能な外部プラットフォーム上に構築された情報ＤＢをデータベース２５０の１つとして活用してもよい。
【００５３】
プロセッサ２１０は、基本的な算術、ロジック、および簡易決済システム１００の入出力演算を実行することにより、コンピュータプログラムの命令を処理するように構成されてもよい。命令は、メモリ２４０またはネットワークインタフェース２３０によって、バス２２０を介してプロセッサ２１０に提供されてもよい。
【００５４】
図２に示すように、プロセッサ２１０は、情報管理部２１１、認証処理部２１２、および決済処理部２１３を含んでもよい。このようなプロセッサ２１０の構成要素は、少なくとも１つのプログラムコードに基づいて提供される制御命令にしたがってプロセッサ２１０によって実行される互いに異なる機能（ｄｉｆｆｅｒｅｎｔ  ｆｕｎｃｔｉｏｎｓ）で表現されてもよい。例えば、プロセッサ２１０が決済情報を含んだ個人情報を管理するように簡易決済システム１００を制御するために動作する機能的表現として情報管理部２１１が使用されてもよい。プロセッサ２１０およびプロセッサ２１０の構成要素は、図３の簡易決済方法が含むステップＳ３１０〜３４０を実行してもよい。例えば、プロセッサ２１０およびプロセッサ２１０の構成要素は、メモリ２４０が含むオペレーティングシステムのコードと上述した少なくとも１つのプログラムコードによる命令（ｉｎｓｔｒｕｃｔｉｏｎ）を実行するように実現されてもよい。ここで、少なくとも１つのプログラムコードは、簡易決済方法を処理するために実現されたプログラムのコードに対応してもよい。
【００５５】
簡易決済方法は、図３に示す順に処理をしなくてもよく、各処理のうちの一部が省略されてもよいし、追加の処理がさらに含まれてもよい。
【００５６】
ステップＳ３１０で、プロセッサ２１０は、簡易決済方法のためのプログラムファイルに格納されたプログラムコードをメモリ２４０にロードしてもよい。例えば、簡易決済方法のためのプログラムファイルは、永久記憶装置に格納されていてもよく、プロセッサ２１０は、バス２２０を介して永久記憶装置に格納されたプログラムファイルからプログラムコードがメモリ２４０にロードされるように簡易決済システム１００を制御してもよい。
【００５７】
ここで、プロセッサ２１０およびプロセッサ２１０が含む情報管理部２１１、認証処理部２１２、および決済処理部２１３のそれぞれは、メモリ２４０にロードされたプログラムコードのうち、対応する部分の命令を実行し、以後のステップＳ３２０〜３４０を実行するためのプロセッサ２１０の互いに異なる機能的表現であってもよい。ステップＳ３２０〜３４０の実行のために、プロセッサ２１０およびプロセッサ２１０の構成要素は、直接制御命令による演算を処理したり、簡易決済システム１００を制御したりしてもよい。
【００５８】
ステップＳ３２０で、情報管理部２１１は、ユーザそれぞれに対し、個人情報を含んだユーザ情報および決済手段と関連する決済情報を登録および管理してもよい。一例として、情報管理部２１１は、ユーザそれぞれに対し、ユーザ情報としてユーザの識別情報（例えば、携帯電話番号やＩＤなど）またはユーザの識別情報とマッチングされた識別キーを登録および管理してもよい。また、情報管理部２１１は、ユーザそれぞれに対し、決済情報を当該ユーザ情報とマッチングして登録および管理してもよい。決済情報は、別途、事前登録手続によってユーザから直接入力を受けて登録してもよい。ここで、ホームショッピングを区分せずに共通に利用可能な決済手段を登録してもよいし、ホームショッピング別に利用しようとする決済手段を区分して登録してもよい。他の例として、決済情報は、ユーザの過去の決済履歴などから抽出して自動登録してもよく、例えば、過去の決済で利用された決済手段に対し、ユーザの同意に基づいて以後の決済でも利用可能となるように当該決済手段を登録しておいてもよい。
【００５９】
ステップＳ３３０で、認証処理部２１２は、ホームショッピングサーバ１０３から決済要請を受信した場合、決済要請に含まれたユーザ情報を利用してユーザに対する認証処理を実行してもよい。例えば、ユーザがホームショッピング放送を視聴している際に、ホームショッピング放送で案内される電話番号を利用してＡＲＳで商品注文を要請してもよいし、ＴＶのホームショッピング放送で案内メニューを操作して商品注文を要請してもよい。ここで、ホームショッピングサーバ１０３は、ＡＲＳやＴＶによる商品注文要請を受信してもよく、これにより、商品注文を要請した当該ユーザ情報を含んだ決済要請を簡易決済システム１００に送信してもよい。例えば、ホームショッピングサーバ１０３は、ユーザがＴＶにおいて携帯電話番号の入力を要請して入力を受けてもよいし、ＡＲＳと接続された発信者番号を追跡してユーザの携帯電話番号を取得してもよい。一例として、認証処理部２１２は、ホームショッピングサーバ１０３から決済を要請したユーザの携帯電話番号を受信してもよく、受信した携帯電話番号を利用してユーザ認証を実行してもよい。ユーザ認証には、本人所有の携帯電話であるか否かを確認する携帯電話認証方式が利用されてもよいが、これに限定されるものではなく、正当なユーザであるか否かを判別する認証方式であればすべて適用可能である。
【００６０】
ステップＳ３４０で、決済処理部２１３は、ユーザに対する認証が成功した場合、決済要請に含まれたユーザ情報とマッチングされた決済情報を利用してホームショッピングサーバ１０３の決済要請に対応する決済処理を実行してもよい。ホームショッピングサーバ１０３の決済要請には決済金額などが含まれてもよく、これにより、決済処理部２１３は、ユーザ認証が成功した場合、当該ユーザの決済情報を利用して決済要請に含まれた決済金額に対する決済を処理してもよい。一例として、決済処理部２１３は、ユーザの決済情報に対して事前登録されているか否かを確認し、事前登録されているユーザである場合、ユーザ認証が成功したときは、当該ユーザの決済情報を利用して即時に決済処理する自動決済を実行してもよい。他の例として、決済処理部２１３は、決済情報が事前登録されたユーザではない場合、当該ユーザの携帯電話番号に、注文書に対するリンク情報である決済ＵＲＬを送信してもよく、決済ＵＲＬとリンクする注文書にユーザからの決済情報の入力を受けて決済処理を実行してもよい。
【００６１】
したがって、簡易決済システム１００は、ユーザのホームショッピング注文に対するホームショッピングサーバ１０３の決済要請にしたがい、ホームショッピングサーバ１０３から送信された携帯電話番号を利用してホームショッピング決済プロセスを簡易に実現することができる。
【００６２】
図４は、本発明の一実施形態における、ホームショッピング決済過程の一例を示したフローチャートである。図４のホームショッピング決済過程は、決済情報が事前登録されていないユーザ（自動決済を許容していないユーザ）を対象とする決済プロセスである。
【００６３】
ユーザは、ＴＶでホームショッピング放送を視聴している際に、携帯電話によってホームショッピング放送で案内された電話番号を利用して当該ホームショッピングと電話接続（ＡＲＳまたはオペレータ）してもよく、ホームショッピング側の案内にしたがって商品注文を要請してもよい（ステップＳ４１）。
【００６４】
ホームショッピングサーバ１０３では、電話案内に基づいてユーザの注文オプションや送信場所などを確認してもよく、決済手段を選択する過程において、ユーザが簡易決済システム１００と関連する決済を要請した場合、ホームショッピングと電話接続された発信者番号、すなわち、ユーザの携帯電話番号を簡易決済システム１００に送信してもよい（ステップＳ４２）。ここで、ホームショッピングサーバ１０３は、ホームショッピングサーバ１０３の識別情報とユーザが注文要請した商品の決済金額、さらにユーザの携帯電話番号を含んだ決済要請を簡易決済システム１００に送信してもよい。電話接続された発信者番号の他にも、電話案内にしたがってユーザが直接入力した携帯電話番号を簡易決済システム１００に送信することも可能である。このとき、ホームショッピングサーバ１０３は、簡易決済システム１００と連動して簡易決済システム１００に決済要請を送信した後、当該ユーザとの電話接続を終了してもよい。
【００６５】
簡易決済システム１００は、ホームショッピングサーバ１０３の決済要請を受信した場合、決済要請に対応する決済画面のリンク情報である決済ＵＲＬを生成し、決済要請に含まれた携帯電話番号のユーザ端末１０１に送信してもよい（ステップＳ４３）。例えば、簡易決済システム１００は、ＳＭＳやＭＭＳなどの文字サービスによってユーザ端末１０１に決済ＵＲＬを送信してもよいし、ユーザ端末１０１上にインストールされた専用アプリケーションに決済ＵＲＬをプッシュしてもよい。
【００６６】
ユーザ端末１０１では、ＳＭＳやＭＭＳあるいは専用アプリケーションのプッシュによって決済ＵＲＬを受信してもよく、ユーザが決済ＵＲＬをクリックした場合、専用アプリケーションが自動で実行され、当該決済ＵＲＬに対する選択信号を簡易決済システム１００に送信してもよい（ステップＳ４４）。
【００６７】
簡易決済システム１００は、ユーザ端末１０１から決済ＵＲＬに対する選択信号を受信した場合、ユーザ端末１０１上で実行された専用アプリケーションを通じて決済ＵＲＬに該当する決済画面を提供してもよい（ステップＳ４５）。
【００６８】
簡易決済システム１００は、ユーザが決済ＵＲＬをクリックした場合、決済ＵＲＬに対応する情報から特定のホームショッピングであることを自動で認識した後、当該ホームショッピングに最も適した決済手段や利用可能なクーポンなどの特典情報を勧めてもよい（ステップＳ４６）。例えば、簡易決済システム１００は、ユーザ端末１０１上で実行された専用アプリケーションにおける決済画面から、無利子分割払いや割引特典のカードを勧めたり、クーポンや積立金などの使用を勧めてもよい。
【００６９】
ユーザ端末１０１上の専用アプリケーションでは、決済画面で選択または入力された決済情報を利用して簡易決済システム１００に決済を要請してもよい（ステップＳ４７）。ユーザは、決済ＵＲＬのクリックによって提供された決済画面に、ホームショッピング注文に利用したい決済手段や特典情報などを選択または入力してもよい。
【００７０】
簡易決済システム１００は、ユーザ端末１０１上で実行された専用アプリケーションの決済要請にしたがってユーザが選択または入力した決済情報を利用してホームショッピングサーバ１０３の決済要請に対応する決済処理を実行してもよい（ステップＳ４８）。その後、簡易決済システム１００は、決済処理結果を、ホームショッピングサーバ１０３および／またはユーザ端末１０１上の専用アプリケーションに通知してもよい。
【００７１】
本実施形態によると、ユーザがホームショッピング電話注文のために簡易決済を選択した場合、ＡＲＳやオペレータとの電話通話によってユーザの決済情報の入力を受ける代わりに、ホームショッピングサーバ１０３は、ユーザの携帯電話番号を簡易決済システム１００に送信することにより、簡易決済システム１００は、決済のためのＵＲＬを当該携帯電話番号のユーザ端末１０１に送信し、ＵＲＬから提供される決済画面で決済情報の入力を受けて決済処理を行うことができる。
【００７２】
ユーザは、電話注文の他にも、ＴＶでホームショッピング放送を視聴している際に、ＴＶ上でホームショッピング放送中に案内されるメニューを操作して商品注文を要請してもよい。このとき、ホームショッピングサーバ１０３は、ＴＶでのメニュー操作による注文要請を受信し、このようなＴＶ注文要請に対しては、図４を参照しながら説明したホームショッピング決済過程ステップＳ４２〜ステップＳ４８を同じように適用してもよい。
【００７３】
図５は、本発明の一実施形態における、ホームショッピング決済過程の他の例を示したフローチャートである。図５は、ＴＶを通じてホームショッピング注文の決済を行う過程を示した図である。
【００７４】
ユーザがＴＶでホームショッピング放送を視聴する場合、ホームショッピングサーバ１０３は、ＴＶのホームショッピング放送画面５００上に簡易決済のための選択経路案内情報５０１を提供してもよい（ステップＳ５１）。ホームショッピング放送を視聴するためにユーザがインターネットＴＶを利用する場合、ホームショッピングサーバ１０３は、ユーザが利用する当該端末と直接通信してもよく、電波を受信する一般的なＴＶを利用する場合、ホームショッピングサーバ１０３は、ホームショッピング放送を創出するＣＰとの連動によってユーザが利用する当該端末と通信してもよい。もっとも、ホームショッピングサーバ１０３とＴＶとの通信環境は、これに限定されるものではない。
【００７５】
ユーザが簡易決済を要請するためにリモコンなどを利用してＴＶを操作する場合、ホームショッピングサーバ１０３は、ホームショッピング放送画面５００上にユーザの携帯電話番号の入力を受けるための入力画面５１０を提供してもよく（ステップＳ５２）、入力画面５１０にユーザが入力した携帯電話番号を簡易決済システム１００に送信してもよい。この後に簡易決済システム１００で実行される決済プロセスは、図４を参照しながら説明したホームショッピング決済過程ステップＳ４３〜ステップＳ４８と同じである。
【００７６】
ホームショッピングサーバ１０３は、簡易決済システム１００と連動しながら、ホームショッピング放送画面５００に決済過程の案内情報を段階的に提供してもよい。一例として、ホームショッピングサーバ１０３は、簡易決済システム１００からユーザの携帯電話番号に決済ＵＲＬが送信された場合、ＵＲＬ送信を知らせる案内文や決済後にユーザ確認を要請する案内文、メニューなどを含んだ決済案内情報５２０を提供してもよい（ステップＳ５３）。また、ホームショッピングサーバ１０３は、簡易決済システム１００でＴＶ注文要請に対する決済が完了した場合、決済完了を知らせる案内文を含んだ完了案内情報５３０を提供してもよい（ステップＳ５４）。
【００７７】
したがって、簡易決済システム１００は、電話注文やＴＶ注文に対してホームショッピングサーバ１０３から送信を受けたユーザの携帯電話番号に決済ＵＲＬを送信し、ユーザが当該端末で決済ＵＲＬとリンクする専用アプリやモバイルウェブに入力した決済情報を利用して決済処理を実行することができる。
【００７８】
他の例として、ホームショッピング注文のたびに決済情報を入力しなくても、簡易決済システム１００にホームショッピングの注文時に使用する決済情報を事前登録することにより、当該決済情報を利用した自動決済をしてもよい。
【００７９】
図６を参照すると、簡易決済システム１００と関連する専用アプリケーションでは、ホームショッピング自動決済を設定するための設定画面６００が提供されてもよい。
【００８０】
設定画面６００には、簡易決済サービスの提供が可能なホームショッピングリスト（例えば、加盟店リストなど）を提供するホームショッピングリスト画面６１０と、ホームショッピング自動決済のための決済手段を登録および追加するための決済手段登録画面６２０などが含まれてもよい。
【００８１】
上述した設定画面６００で、ホームショッピングリストに含まれる全体ホームショッピングに対し、共通で使用する決済手段を設定してもよいし、ホームショッピングリストに含まれるホームショッピングそれぞれに対し、当該ホームショッピングの注文時に使用する決済手段を区分してそれぞれ設定してもよい。
【００８２】
簡易決済システム１００では、決済手段に関する実際の情報（例えば、実際のカード番号や口座番号など）を保管せず、仮想の情報を保管してもよい。
【００８３】
簡易決済システム１００は、ホームショッピングの注文時に使用する決済手段を事前登録しておき、ホームショッピング自動決済に同意したユーザである場合は、ホームショッピングサーバ１０３からユーザの携帯電話番号が送信され、ユーザの携帯電話番号に基づいて当該ユーザの事前登録された決済手段を識別することで、別途の決済情報確認過程を経なくても、ホームショッピング注文に対する決済を直ぐに承認処理することができる。
【００８４】
図７は、本発明の一実施形態における、ホームショッピング自動決済過程の一例を示したフローチャートである。図７は、ＴＶを通じてホームショッピング注文に対する自動決済を行う過程を示したものである。
【００８５】
ユーザがＴＶでホームショッピング放送を視聴する場合、ホームショッピングサーバ１０３は、ＴＶのホームショッピング放送画面７００上に簡易決済のための選択経路案内情報７０１を提供してもよい（ステップＳ７１）。
【００８６】
ユーザが簡易決済を要請するためにリモコンなどを利用してＴＶを操作した場合、ホームショッピングサーバ１０３は、ホームショッピング放送画面７００上にユーザの携帯電話番号の入力を受けるための入力画面７１０を提供してもよく（ステップＳ７２）、入力画面７１０でユーザから入力を受けた携帯電話番号を簡易決済システム１００に送信してもよい。
【００８７】
簡易決済システム１００は、ホームショッピングサーバ１０３から携帯電話番号を受信した場合、当該携帯電話番号のユーザがホームショッピング自動決済に同意したユーザであるか否かを確認し、ホームショッピング自動決済に同意したユーザであれば、当該携帯電話番号に認証番号を送信してもよい。
【００８８】
ホームショッピングサーバ１０３は、簡易決済システム１００と連動し、簡易決済システム１００からユーザの携帯電話番号に認証番号が送信された場合、ホームショッピング放送画面７００上に認証番号の入力を受けるための入力画面７２０を提供してもよく（ステップＳ７３）、入力画面７２０でユーザから入力された認証番号を簡易決済システム１００に再び送信してもよい。
【００８９】
簡易決済システム１００は、自身がユーザの携帯電話番号に送信した認証番号とホームショッピングサーバ１０３から受信した認証番号が一致する場合、当該ユーザが事前登録した決済手段を利用してホームショッピング自動決済を直ぐに承認処理してもよい。
【００９０】
ユーザ認証方式としては、認証番号を利用する他にも、決済パスワード、ＰＩＮ、住民登録番号などを利用してもよい。
【００９１】
ユーザが事前登録した決済手段が複数ある場合、簡易決済システム１００は、決済手段リストに関する情報をホームショッピングサーバ１０３に送信し、ユーザがＴＶから決済手段を選択するように要請してもよい。
【００９２】
ホームショッピングサーバ１０３は、簡易決済システム１００からユーザの決済手段リストに関する情報を受信し、当該ユーザのホームショッピング注文経路であるホームショッピング放送画面７００上に、決済手段リストから特定の決済手段の選択を受けるための選択画面７３０を提供してもよく（ステップＳ７４）、選択画面７３０でユーザが選択した決済手段に関する情報を簡易決済システム１００に送信してもよい。
【００９３】
簡易決済システム１００は、ユーザが事前登録した決済手段が複数ある場合、ＴＶからユーザが選択した決済手段を利用してホームショッピング自動決済を直ぐに承認処理してもよい。
【００９４】
したがって、ＴＶでのホームショッピングの注文時の決済手段を事前登録しておき、ホームショッピング自動決済に同意したユーザである場合、本人所有の携帯電話認証さえ成功すれば簡易に決済を完了することができる。
【００９５】
図８は、本発明の一実施形態における、ホームショッピング自動決済過程の他の例を示したフローチャートである。図８は、電話でホームショッピング注文に対する自動決済を行う過程を示したものである。
【００９６】
ユーザがＴＶでホームショッピング放送を視聴する場合、ホームショッピングサーバ１０３は、ＴＶのホームショッピング放送画面８００上に簡易決済のための電話番号案内情報８０１を提供してもよい（ステップＳ８１）。
【００９７】
ユーザは、ホームショッピング放送で案内される電話番号を利用して当該ホームショッピングＡＲＳと接続してもよく（ステップＳ８２）、このとき、ホームショッピングサーバ１０３では、ＡＲＳと接続された発信者番号、すなわち、ユーザの携帯電話番号を簡易決済システム１００に送信してもよい。
【００９８】
簡易決済システム１００は、ホームショッピングサーバ１０３から携帯電話番号を受信した場合、当該携帯電話番号のユーザがホームショッピング自動決済に同意したユーザであるか否かを確認し、ホームショッピング自動決済に同意したユーザであれば、当該ユーザが事前登録した決済手段を利用してホームショッピング自動決済を直ぐに承認処理してもよい。
【００９９】
ここで、簡易決済システム１００は、自動決済を承認処理する前に、ホームショッピングサーバ１０３から受信した携帯電話番号に対して、決済パスワード、ＰＩＮ、住民登録番号などを利用した認証手続を経てユーザ認証を実行してもよい。
【０１００】
ユーザが事前登録した決済手段が複数ある場合、簡易決済システム１００は、決済手段リストに関する情報をホームショッピングサーバ１０３に送信し、ユーザが特定の決済手段を選択するように要請してもよい。
【０１０１】
ホームショッピングサーバ１０３は、簡易決済システム１００からユーザの決済手段リストに関する情報を受信した場合、当該ユーザのホームショッピング注文経路であるＡＲＳ案内によって決済手段リストを提供し、当該リストから特定の決済手段を選択するように案内してもよい（ステップＳ８３）。
【０１０２】
ユーザがＡＲＳ案内によって自身が事前登録した決済手段リストを確認し、ＡＲＳ案内にしたがって当該リストからホームショッピング注文に利用する決済手段を選択してもよく（ステップＳ８４）、これにより、ホームショッピングサーバ１０３は、ＡＲＳ案内によってユーザが選択した決済手段に関する情報を簡易決済システム１００に送信してもよい。
【０１０３】
簡易決済システム１００は、ユーザが事前登録した決済手段が複数ある場合、ＡＲＳ案内にしたがってユーザが選択した決済手段を利用してホームショッピング自動決済を直ぐに承認処理してもよい。
【０１０４】
したがって、電話でのホームショッピングの注文時の決済手段を事前登録しておき、ホームショッピング自動決済に同意したユーザである場合には、本人所有の携帯電話認証さえ成功すれば簡易に決済を完了することができる。
【０１０５】
ホームショッピング自動決済の場合、ユーザの端末上で専用アプリケーションが実行されなかったとしても、ＴＶや電話注文に対してユーザの電話番号を利用して自動決済を許容したユーザの決済であるか否かを識別し、直ぐに決済承認を処理することができる。
【０１０６】
このように、本発明の実施形態によると、決済のたびに決済情報を読み込んだり入力したりする必要のない簡易な決済により、ユーザの手数を軽減させ、決済時間を画期的に短縮させることができる。また、本発明の実施形態によると、決済情報を事前登録しておき、以後は簡単な認証だけでホームショッピング決済を即時に行うことにより、情報流出の問題なく、ユーザが簡易に決済することができる環境を提供することができる。さらに、本発明の実施形態によると、決済の便宜と安全なセキュリティを保障しながらホームショッピングに最適化した簡易決済方法を提供することにより、ホームショッピング会社に対するブランド価値も高めることができる。
【０１０７】
上述した装置は、ハードウェア構成要素、ソフトウェア構成要素、および／またはハードウェア構成要素とソフトウェア構成要素との組み合わせによって実現されてもよい。例えば、実施形態で説明された装置および構成要素は、プロセッサ、コントローラ、ＡＬＵ（ａｒｉｔｈｍｅｔｉｃ  ｌｏｇｉｃ  ｕｎｉｔ）、デジタル信号プロセッサ、マイクロコンピュータ、ＦＰＧＡ（ｆｉｅｌｄ  ｐｒｏｇｒａｍｍａｂｌｅ  ｇａｔｅ  ａｒｒａｙ）、ＰＬＵ（ｐｒｏｇｒａｍｍａｂｌｅ  ｌｏｇｉｃ  ｕｎｉｔ）、マイクロプロセッサ、または命令を実行して応答することができる様々な装置のように、１つ以上の汎用コンピュータまたは特殊目的コンピュータを利用して実現されてもよい。処理装置は、オペレーティングシステム（ＯＳ）および前記ＯＳ上で実行される１つ以上のソフトウェアアプリケーションを実行してもよい。また、処理装置は、ソフトウェアの実行に応答し、データにアクセスし、データを格納、操作、処理、および生成してもよい。理解の便宜のために、１つの処理装置が使用されるとして説明される場合もあるが、当業者は、処理装置が複数個の処理要素および／または複数種類の処理要素を含んでもよいことが理解できるであろう。例えば、処理装置は、複数個のプロセッサまたは１つのプロセッサおよび１つのコントローラを含んでもよい。また、並列プロセッサのような、他の処理構成も可能である。
【０１０８】
ソフトウェアは、コンピュータプログラム、コード、命令、またはこれらのうちの１つ以上の組み合わせを含んでもよく、制御可能に処理装置を構成したり、個別またはまとめて処理装置に命令したりしてもよい。ソフトウェアおよび／またはデータは、処理装置に基づいて解釈されたり、処理装置に命令またはデータを提供したりするために、いかなる種類の機械、コンポーネント、物理装置、仮想装置、コンピュータ格納媒体または装置、または送信される信号に永久的または一時的に具現化されてもよい。ソフトウェアは、ネットワークによって接続されたコンピュータシステム上に分散され、分散された状態で格納され実行されてもよい。ソフトウェアおよびデータは、１つ以上のコンピュータで読み取り可能な記録媒体に格納されてもよい。
【０１０９】
実施形態に係る方法は、多様なコンピュータ手段によって実行可能なプログラム命令の形態で実現されてコンピュータで読み取り可能な媒体に記録されてもよい。前記コンピュータで読み取り可能な媒体は、プログラム命令、データファイル、データ構造などを単独または組み合わせて含んでもよい。前記媒体に記録されるプログラム命令は、実施形態のために特別に設計されて構成されたものであってもよいし、コンピュータソフトウェア当業者に公知なものであってもよい。コンピュータで読み取り可能な記録媒体の例としては、ハードディスク、フロッピー（登録商標）ディスク、および磁気テープのような磁気媒体、ＣＤ−ＲＯＭ、ＤＶＤのような光媒体、フロプティカルディスク（ｆｌｏｐｔｉｃａｌ  ｄｉｓｋ）のような光磁気媒体、およびＲＯＭ、ＲＡＭ、フラッシュメモリなどのようなプログラム命令を格納して実行するように特別に構成されたハードウェア装置が含まれる。プログラム命令の例は、コンパイラによって生成される機械語コードだけではなく、インタプリタなどを使用してコンピュータによって実行される高級言語コードを含む。上述したハードウェア装置は、実施形態の動作を実行するために１つ以上のソフトウェアモジュールとして動作するように構成されてもよく、その逆も同じである。
【０１１０】
以上のように、実施形態を、限定された実施形態と図面に基づいて説明したが、当業者であれば、上述した記載から多様な修正および変形が可能であろう。例えば、説明された技術が、説明された方法とは異なる順序で実行されたり、および／または、説明されたシステム、構造、装置、回路などの構成要素が、説明された方法とは異なる形態で結合されたりまたは組み合わされたり、他の構成要素または均等物によって対置されたり置換されたとしても、適切な結果を達成することができる。
【０１１１】
したがって、異なる実施形態であっても、特許請求の範囲と均等なものであれば、添付される特許請求の範囲に属する。
【符号の説明】
【０１１２】
１００：簡易決済システム
１０１：ユーザ
１０３：ホームショッピングサーバ
【図１】
2017228292.tif 000003
【図２】
2017228292.tif 000004
【図３】
2017228292.tif 000005
【図４】
2017228292.tif 000006
【図５】
2017228292.tif 000007
【図６】
2017228292.tif 000008
【図７】
2017228292.tif 000009
【図８】
2017228292.tif 000010